(57)【要約】【課題】手作業を必要とせず、安価に２次元画像から３次元模型を作成する模型作成システムを提供することである。【解決手段】少なくとも画像撮影機能、方向取得機能、および電子メール送信機能を有し、撮影した画像および撮影角度を模型作成情報として生成するユーザ端末と、ユーザ端末から模型作成情報を受信して立体データを作成する画像処理装置と、立体データに基づいて模型を作成する自動切削機とを有する。【選択図】図４
2008210299.tif 000002
【特許請求の範囲】
【請求項１】
少なくとも画像撮影機能、方向取得機能、および電子メール送信機能を有し、撮影した画像および撮影角度を模型作成情報として生成するユーザ端末と、
ユーザ端末から模型作成情報を受信して立体データを作成する画像処理装置と、
立体データに基づいて模型を作成する自動切削機と
を有することを特徴とする模型作成システム。
【請求項２】
前記模型作成情報には、少なくとも２枚以上の画像および撮影角度が含まれていることを特徴とする請求項１に記載の模型作成システム。
【請求項３】
前記模型作成情報には、作成する模型の高さ、幅、奥行のうちの少なくとも一つのサイズである基準サイズが含まれていることを特徴とする請求項１に記載の模型作成システム。
【請求項４】
前記模型作成情報には、作成する模型の表面処理方法や彩色有無を示す情報が含まれていることを特徴とする請求項１に記載の模型作成システム。
【請求項５】
前記ユーザ端末の方向取得機能が、画像撮影時の端末の角度を取得する電子コンパスによって実現されることを特徴とする請求項１に記載の模型作成システム。
【請求項６】
少なくとも画像撮影機能、方向取得機能、および電子メール送信機能を有し、撮影した画像および撮影角度を模型作成情報として生成することを特徴とするユーザ端末。
【発明の詳細な説明】
【技術分野】
【０００１】
本発明は、模型作成システムに関し、詳しくは２次元画像から３次元模型を作成する模型作成システムに関する。
【背景技術】
【０００２】
従来、携帯電話等の携帯端末の普及は目覚しく、またこれらの携帯端末にデジタルカメラを搭載した機種も提供され、手軽に画像撮影ができるようになってきている。
【０００３】
携帯端末にて撮影した画像は、写真のように印刷して楽しむ方法もあるが、その撮影対象を３次元模型で復元できたとしたら、その楽しみ方、利用方法も膨らむ。
【０００４】
これに対して、特許文献１に記載の発明では、供試体を少なくとも２方向から見た平面画像を作成し、この画像から前記供試体の立体情報を抽出し、この立体情報に基づいて立体を再生するという技術思想を開示している。
【０００５】
【特許文献１】特開昭６１−２８９４６８号公報
【発明の開示】
【発明が解決しようとする課題】
【０００６】
しかしながら、特許文献１に記載の技術では以下のような問題があった。
【０００７】
すなわち、特許文献１に記載されているのは、このようにしたいというアイデアのみであり、具体的な実現手段については開示されておらず、その実現は困難なものであった。
【０００８】
また、従来の模型作成サービスでは、ユーザはサービス会社に写真を郵送し、サービス会社は写真を元に手作業で模型を作成している。よって、模型完成までに時間がかかり、更にサービスが高価になるという問題があった。
【０００９】
本発明は上記の点にかんがみてなされたもので、手作業を必要とせず、安価に２次元画像から３次元模型を作成する模型作成システムを提供することを目的とする。
【課題を解決するための手段】
【００１０】
本発明の模型作成システムは、少なくとも画像撮影機能、方向取得機能、および電子メール送信機能を有し、撮影した画像および撮影角度を模型作成情報として生成するユーザ端末と、ユーザ端末から模型作成情報を受信して立体データを作成する画像処理装置と、立体データに基づいて模型を作成する自動切削機とを有することを特徴とする。
【００１１】
模型作成情報には、少なくとも２枚以上の画像および撮影角度が含まれている。また、模型作成情報には、作成する模型の高さ、幅、奥行のうちの少なくとも一つのサイズである基準サイズが含まれている。更に、模型作成情報には、作成する模型の表面処理方法や彩色有無を示す情報が含まれている。
【発明の効果】
【００１２】
本発明によれば手作業を必要とせず、安価に２次元画像から３次元模型を作成する模型作成システムを提供することができる。
【００１３】
すなわち本発明によれば、ユーザ端末において撮影した画像および撮影角度から立体データを作成し、自動的に立体模型を作成することができる。
【発明を実施するための最良の形態】
【００１４】
以下、本発明の実施の形態について図面を参照して詳細に説明する。
【００１５】
本発明の模型作成システムでは、たとえば、携帯端末で撮影した画像を電子メールで送信し、それを元に立体データを作成して自動切削機で立体模型を作成する。携帯端末では、画像撮影時の撮影角度をＧＰＳ端末等に搭載されている電子コンパスにて取得し、画像と共に送信する。
【００１６】
図１は、本発明による模型作成システムの一実施の形態の構成を示すブロック図である。
【００１７】
本実施の形態において、情報提供システムは、模型作成を依頼するユーザが用いるユーザ端末１０と、インターネット２０と、模型作成サービス会社の画像処理装置３０と自動切削機４０とから構成される。
【００１８】
ユーザ端末１０は、少なくとも画像撮影機能、方向取得機能、および電子メール送信機能を有する。
【００１９】
画像処理装置３０は、ユーザ端末１０から電子メールで画像および撮影角度を受信し、立体データを作成する。
【００２０】
自動切削機４０は立体データに基づいて模型を作成する工作機械である。
【００２１】
図２は、図１に示したユーザ端末１０のブロック図である。
【００２２】
ユーザ端末１０は、端末各部を制御するＣＰＵである制御部１１と、画像を撮影するカメラ部１５と、画像撮影時の端末の角度（撮影方向）を取得する電子コンパスである方向検出部１６と、撮影画像や各種情報を表示する表示部１２と、撮影画像等の情報を記憶する記憶部１３と、インターネット２０に接続する通信部１４と、ユーザの操作が入力される操作部１７とを有する。各部は既存の携帯電話等で実現されている機能であり、詳細な説明は省略する。
【００２３】
図３は、図２に示したユーザ端末１０にて作成される模型作成情報１００を示す図である。
【００２４】
模型作成情報１００は記憶部１３に格納される。内容は、送付先メールアドレス（画像処理装置３０のメールアドレス）と、撮影した画像データおよびその撮影角度データと、模型の基準サイズと、補足情報（模型の材質、彩色の有無等）とから構成される。
【００２５】
画像データは角度を変えたデータが２枚以上あるとよい。また、基準サイズは、模型の完成サイズの高さ、幅、奥行いずれか一つに対して、その大きさが指定される。
【００２６】
画像データはカメラ部１５から、撮影角度データは方向検出部１６から入力され、その他の情報はユーザによって操作部１７から入力される。
【００２７】
続いて、図４を参照しながら、本実施の形態の模型作成システムの動作を説明する。
【００２８】
図４は、図１に示した模型作成システムの動作のフローチャートを示す図である。
【００２９】
まず、カメラ部１５を起動して、模型を作成する対象物を撮影する。このとき、方向検出部１６が出力する端末の向き（角度）が、撮影した画像データとともに記憶部１３に保存される（ステップＳ１）。
【００３０】
次に、入力部１７より、基準サイズとして、高さ、幅、奥行いずれか一つの大きさが入力される（ステップＳ２）。
【００３１】
次に、補足情報として、入力部１７より、模型の材質、彩色の有無等が入力される（ステップＳ３）。模型の材質は、完成品の表面の色の仕上げ方法を示し、たとえば写真どおりの色、白、ブロンズ調などの情報である。
【００３２】
次に、以上入力された情報を模型作成情報１００として、画像処理装置３０に送信する（ステップＳ４）。
【００３３】
次に、画像処理装置３０では模型作成情報１００を受信し（ステップＳ５）、対象物の画像データ、撮影角度データ、および基準サイズから、模型作成のための立体データを生成する（ステップＳ６）。
【００３４】
次に、立体データに表面仕上げを施した二次元画像を生成し、完成予想図としてユーザ端末１０に送信する（ステップＳ７）。このとき、所定の注文番号をメールのタイトルに付記しておく。
【００３５】
次に、ユーザ端末１０において完成予想図を受信し、模型を作成するか否かの承認入力をする（ステップＳ９）。承認入力は、完成予想図の受信メールに対して、返信をすることで行う（ステップＳ１０）。
【００３６】
次に、画像処理装置３０は承認メールを受信すると（ステップＳ１１）、作成した立体データを自動切削機４０へ入力する（ステップＳ１２）。
【００３７】
後は、自動切削機４０において立体模型が作成され、適宜着色され、ユーザに郵送される。
【図面の簡単な説明】
【００３８】
【図１】本発明による模型作成システムの一実施の形態の構成を示すブロック図である。
【図２】図１に示したユーザ端末１０のブロック図である。
【図３】図２に示したユーザ端末１０にて作成される模型作成情報１００を示す図である。
【図４】図１に示した模型作成システムの動作のフローチャートを示す図である。
【符号の説明】
【００３９】
１０  ユーザ端末
２０  インターネット
３０  画像処理装置
４０  自動切削機
１１  制御部
１２  表示部
１３  記憶部
１４  通信部
１５  カメラ部
１６  方向検出部
１７  操作部
【図１】
2008210299.tif 000003
【図２】
2008210299.tif 000004
【図３】
2008210299.tif 000005
【図４】
2008210299.tif 000006